(57)【要約】【課題】カメラ付き携帯電話機を使用して、暗い工事現場で、工事用小黒板を電子的に写し込んだ工事写真を撮影する。【解決手段】カメラ付き携帯電話機３には、カメラ付き携帯電話機３の赤外線送信部から照射された赤外線を受光したときにストロボ発光部１１によりストロボ発光を行うストロボ装置４が取り付けられている。カメラ付き携帯電話機３は、基地局６、インターネット７を介してＷＥＢサーバ５に接続し、黒板アプリケーション８と、カメラ付き携帯電話機３の機種に適合したストロボ制御アプリケーション９とをダウンロードする。黒板アプリケーション８は、カメラ付き携帯電話機３で工事写真を撮影する際に、工事用小黒板の画像を電子的に写し込む。ストロボ制御アプリケーション９は、カメラ付き携帯電話機３のカメラ部が撮影を行う際に、赤外線送信部から赤外光を照射させる。【選択図】図１
2010117587.tif 000002
【特許請求の範囲】
【請求項１】
カメラ付き携帯電話機と、
前記カメラ付き携帯電話機と通信し、黒板アプリケーションとストロボ制御アプリケーションとを前記カメラ付き携帯電話機にダウンロードさせるサーバと、
前記カメラ付き携帯電話にて動作し、前記カメラで工事現場を撮影する際に、工事用小黒板の画像を電子的に写し込む前記黒板アプリケーションと、
前記カメラ付き携帯電話にて動作し、前記カメラのレリーズに応じて、前記カメラ付き携帯電話機の赤外線送信部から赤外光を照射させる前記ストロボ制御アプリケーションと、
前記カメラ付き携帯電話機に取り付けられ、前記赤外光を受光したときに被写体に向けて閃光を発するストロボ装置とを備えたことを特徴とする工事用カメラシステム。
【請求項２】
前記ストロボ制御アプリケーションは、
前記カメラのレリーズから露出が開始されるまでのレリーズタイムラグに応じた遅延時間を計測する計時手段と、
前記遅延時間の経過後に、前記赤外線送信部から赤外光を照射させるシンクロ制御手段として、
前記カメラ付き携帯電話機を機能させることを特徴とする請求項１記載の工事用カメラシステム。
【請求項３】
前記サーバは、
前記黒板アプリケーション及び前記ストロボ制御アプリケーションを記憶する記憶手段と、
前記カメラ付き携帯電話機と通信する通信手段と、
前記カメラ付き携帯電話機の機種を特定する機種特定手段と、
前記カメラ付き携帯電話機の要求を受けて、前記黒板アプリケーションと、機種に応じた前記遅延時間が設定されている前記ストロボ制御アプリケーションとを前記カメラ付き携帯電話機にダウンロードさせる転送手段とを備えていることを特徴とする請求項２記載の工事用カメラシステム。
【請求項４】
前記黒板アプリケーションは、
前記工事用小黒板のテンプレートに文字を入力する文字入力手段と、
前記テンプレートと前記文字とを合成した電子小黒板画像を生成する黒板画像生成手段と、
前記電子小黒板画像の生成後に、前記カメラ及び前記ストロボ制御アプリケーションを起動させる連係制御手段と、
前記カメラから出力された画像が前記カメラ付き携帯電話機の表示部に連続的に表示されているスルー画表示中に、前記電子小黒板画像を重ね合わせて表示する黒板表示制御手段と、
前記カメラで撮影した工事現場の画像に前記電子小黒板画像を合成して工事写真を作成する工事写真作成手段として、
前記カメラ付き携帯電話機を機能させることを特徴とする請求項１〜３いずれか記載の工事用カメラシステム。
【請求項５】
前記黒板アプリケーションは、記載項目、形状、サイズ、色、透明度等が異なる複数種類の工事用小黒板のテンプレートを有し、複数種類の前記テンプレート中から１つのテンプレートを選択するテンプレート選択手段として、前記カメラ付き携帯電話機を機能させることを特徴とする請求項４記載の工事用カメラシステム。
【請求項６】
前記黒板アプリケーションは、前記黒板画像生成手段により生成される前記電子小黒板画像のサイズ、回転位置、配置位置等を設定する黒板設定手段として、前記カメラ付き携帯電話機を機能させることを特徴とする請求項４または５記載の工事用カメラシステム。
【請求項７】
前記黒板アプリケーションは、前記カメラ付き携帯電話機から撮影位置の座標、または撮影日時等を取得して、前記テンプレートに自動的に入力する自動入力手段として、前記カメラ付き携帯電話機を機能させることを特徴とする請求項４〜６いずれか記載の工事用カメラシステム。
【請求項８】
前記ストロボ装置の表面に、前記サーバの通信アドレスを表す２次元コードを設けたことを特徴とする請求項１〜７いずれか記載の工事用カメラシステム。
【請求項９】
カメラ付き携帯電話機に着脱自在に取り付けられる取付手段と、前記カメラの撮影方向を向くストロボ発光部と、前記カメラ付き携帯電話機の赤外線通信部から照射された赤外光を受光する受光手段と、前記受光手段が前記赤外光を受光したときに前記ストロボ発光部を発光させるストロボ回路と、前記ストロボ回路に電源を供給する電源電池とを備えたカメラ付き携帯電話機用ストロボ装置において、
前記カメラ付き携帯電話機の充電端子に接続される充電コネクタと、
前記電源電池に接続されていて、前記充電コネクタが前記充電端子に接続されたときに、前記カメラ付き携帯電話機のバッテリを充電するバッテリ充電回路とを備えたことを特徴とするカメラ付き携帯電話機用ストロボ装置。
【請求項１０】
前記ストロボ回路及び前記バッテリ充電回路と、前記カメラ付き携帯電話機による動画撮影時にビデオライト部を点灯させて被写体を照明するビデオライト回路は、前記電源電池に対して並列に接続されており、
前記電源電池を、前記ストロボ回路または前記ビデオライト回路に選択的に接続する切換スイッチと、
前記電話挿入部内に突出していて、前記電話挿入部に挿入した前記カメラ付き携帯電話機に押圧されたときに、前記切換スイッチにより接続している前記ストロボ回路、または前記ビデオライト回路をオンさせる電源スイッチとを備えたことを特徴とする請求項１０記載のカメラ付き携帯電話機用ストロボ装置。
【請求項１１】
前記取付手段は、
前記カメラ付き携帯電話機の上端が挿入される電話挿入部と、
前記電話挿入部内に一端が挿脱されるように揺動自在とされたクリップ部材と、
前記クリップ部材の一端が前記電話挿入部内に挿入される方向に向けて前記クリップ部材を付勢するバネとを有し、
前記クリップ部材と前記電話挿入部の内壁面とで前記カメラ付き携帯電話を挟み込むことを特徴とする請求項９または１０記載のカメラ付き携帯電話機用ストロボ装置。
【発明の詳細な説明】
【技術分野】
【０００１】
本発明は、カメラ付き携帯電話機を用いて工事現場の撮影を行う工事用カメラシステムと、カメラ付き携帯電話機に使用されるストロボ装置とに関する。
【背景技術】
【０００２】
各地方自治体、国土交通省等では、公共事業における工事の進捗状況を管理するため、工事請負業者に、工事途中の各段階で工事現場を撮影した工事写真の提出を義務づけている。各地方自治体等が工事写真について定めている写真管理基準では、携帯可能なサイズの工事用小黒板に工事現場を特定するために必要な工事名、工種等の必要事項を記載し、工事用小黒板を工事現場とともに写し込むことを規定している。
【０００３】
工事写真に工事用小黒板を写し込む作業は、工事用小黒板を保持する人手が必要な場合がある。また、高所等の工事現場で工事用小黒板を持つ作業者に、危険が及ぶ等の問題もある。また、工事用小黒板に記載した手書き文字が判読しにくい場合、撮影のやり直しが必要となることもあった。
【０００４】
上記問題を解決するため、工事写真に、工事用小黒板の画像を電子的に写し込む機能を備えたデジタルカメラが発明されている（例えば、特許文献１参照）。また、カメラ付き携帯電話機に、同様の機能を設けた発明もなされている（例えば、特許文献２参照）。カメラ付き携帯電話機は、撮影品質が一般的なデジタルカメラ並みに向上しており、ダイヤルボタンによる文字入力、アプリケーションプログラムの導入による機能拡張が可能であるため、特許文献２記載の発明は、比較的容易に実現可能である。
【０００５】
工事写真は、日中の屋外の工事現場だけでなく、屋内、トンネル内、地下等の暗い工事現場や、夜間工事等の暗所でも撮影を行う必要がある。しかし、カメラ付き携帯電話機はストロボを備えていないので、日中屋外以外の工事写真に用いることができなかった。
【０００６】
カメラ付き携帯電話機に取り付けるストロボ装置が発明されている（例えば、特許文献３、４参照）。特許文献３記載の発明は、カメラ付き携帯電話機のイヤホンジャックにストロボ装置を接続し、イヤホンジャックからストロボ装置にシンクロ信号を入力して、カメラのレリーズにストロボ発光をシンクロさせている。また、特許文献４記載の発明は、カメラ付き携帯電話機のＵＳＢ端子にストロボ装置を接続し、ＵＳＢ端子からストロボ装置にシンクロ信号を入力して、カメラのレリーズにストロボ発光をシンクロさせている。
【特許文献１】特許第３２８８０１９号公報
【特許文献２】特開２００８−２２５８６２号公報
【特許文献３】特開２００３−０４３５５７号公報
【特許文献４】特開２００６−１６２７３８号公報
【発明の開示】
【発明が解決しようとする課題】
【０００７】
特許文献３及び４記載のストロボ装置は、イヤホンジャックまたはＵＳＢ端子を備え、かつカメラのレリーズ時にイヤホンジャックまたはＵＳＢ端子から何らかの信号を出力するカメラ付き携帯電話機にしか使用することができない。この条件を満たすカメラ付き携帯電話機は、非常に少ない、または存在しないものと思われる。また、カメラ付き携帯電話機とストロボ装置との間をシンクロケーブル等で接続しなくてはならないので、カメラ付き携帯電話機の携帯性を損ねてしまう。これらの問題により、特許文献３及び４記載のストロボ装置は、実用化されていない。
【０００８】
カメラ付き携帯電話機に組み込まれているシャッタ、オートフォーカス機構等は、一般的なデジタルカメラに比べて動作が遅い。そのため、レリーズしてから撮像素子が露出を開始するまでの時間、いわゆるレリーズタイムラグが長くなっている。また、レリーズタイムラグは、カメラ付き携帯電話機のメーカー、機種等によって異なっている。そのため、最適なタイミングでストロボ装置を発光させるのが難しい。
【０００９】
カメラ付き携帯電話機で工事写真を撮影すると、カメラ付き携帯電話機のバッテリの消耗が早くなることが考えられる。カメラ付き携帯電話機の充電器を携行すれば、バッテリの消耗に対応できるが、工事現場にＡＣ電源が無い場合もあり、工事写真の撮影が行えなくなってしまう。
【００１０】
本発明は、カメラ付き携帯電話機を使用して、暗い工事現場で、工事用小黒板を電子的に写し込んだ工事写真を撮影することができる工事用カメラシステムを提供する。
【課題を解決するための手段】
【００１１】
本発明の工事用カメラシステムは、カメラ付き携帯電話機、サーバ、黒板アプリケーション、ストロボ制御アプリケーション、ストロボ装置を備えている。サーバは、カメラ付き携帯電話機と通信し、黒板アプリケーションとストロボ制御アプリケーションとをカメラ付き携帯電話機にダウンロードさせる。黒板アプリケーションは、カメラ付き携帯電話にて動作し、カメラで工事現場を撮影する際に、工事用小黒板の画像を電子的に写し込む。ストロボ制御アプリケーションは、カメラ付き携帯電話にて動作し、カメラのレリーズに応じて、カメラ付き携帯電話機の赤外線送信部から赤外光を照射させる。ストロボ装置は、カメラ付き携帯電話機に取り付けられ、赤外光を受光したときに被写体に向けて閃光を発する。
【００１２】
ストロボ制御アプリケーションは、計時手段、シンクロ制御手段としてカメラ付き携帯電話機を機能させる。計時手段は、カメラのレリーズから露出が開始されるまでのレリーズタイムラグに応じた遅延時間を計測する。シンクロ制御手段は、遅延時間の経過後に、赤外線送信部から赤外光を照射させる
【００１３】
サーバは、記憶手段、通信手段、機種特定手段、転送手段を備えている。記憶手段は、黒板アプリケーション及びストロボ制御アプリケーションを記憶する。通信手段は、カメラ付き携帯電話機と通信する。機種特定手段は、カメラ付き携帯電話機の機種を特定する。転送手段は、カメラ付き携帯電話機の要求を受けて、黒板アプリケーションと、機種に応じた遅延時間が設定されているストロボ制御アプリケーションとをカメラ付き携帯電話機にダウンロードさせる。
【００１４】
黒板アプリケーションは、文字入力手段、黒板画像生成手段、連係制御手段、黒板表示制御手段、工事写真作成手段として、カメラ付き携帯電話機を機能させる。文字入力手段は、工事用小黒板のテンプレートに文字を入力する。黒板画像生成手段は、テンプレートと文字とを合成した電子小黒板画像を生成する。連係制御手段は、電子小黒板画像の生成後に、カメラ及びストロボ制御アプリケーションを起動させる。黒板表示制御手段は、カメラから出力された画像がカメラ付き携帯電話機の表示部に連続的に表示されているスルー画表示中に、電子小黒板画像を重ね合わせて表示する。工事写真作成手段は、カメラで撮影した工事現場の画像に電子小黒板画像を合成して工事写真を作成する。
【００１５】
黒板アプリケーションは、記載項目、形状、サイズ、色、透明度等が異なる複数種類の工事用小黒板のテンプレートを有している。また、複数種類のテンプレート中から１つのテンプレートを選択するテンプレート選択手段として、カメラ付き携帯電話機を機能させる。
【００１６】
黒板アプリケーションは、黒板画像生成手段により生成される電子小黒板画像のサイズ、回転位置、配置位置を設定する黒板設定手段として、カメラ付き携帯電話機を機能させる。
【００１７】
黒板アプリケーションは、カメラ付き携帯電話機から撮影位置の座標、または撮影日時等を取得して、テンプレートに自動的に入力する自動入力手段として、カメラ付き携帯電話機を機能させる。
【００１８】
ストロボ装置の表面に、サーバの通信アドレスを表す２次元コードを設けてもよい。
【００１９】
本発明のカメラ付き携帯電話機用ストロボ装置は、取付手段、ストロボ発光部、受光手段、ストロボ回路、電源電池、充電コネクタ、バッテリ充電回路を備えている。取付手段は、ストロボ装置をカメラ付き携帯電話機に着脱自在に取り付ける。ストロボ発光部は、ストロボ装置がカメラ付き携帯電話機に取り付けられたときに、カメラの撮影方向を向く。受光手段は、カメラ付き携帯電話機の赤外線通信部から照射された赤外光を受光する。ストロボ回路は、受光手段が赤外光を受光したときにストロボ発光部を発光させる。電源電池は、ストロボ回路に電源を供給する。充電コネクタは、カメラ付き携帯電話機の充電端子に接続される。バッテリ充電回路は、電源電池に接続されていて、充電コネクタが充電端子に接続されたときに、カメラ付き携帯電話機のバッテリを充電する。
【００２０】
本発明のストロボ装置は、カメラ付き携帯電話機による動画撮影時にビデオライト部を点灯させて被写体を照明するビデオライト回路を備えている。ストロボ回路及びビデオライト回路、及びバッテリ充電回路は、電源電池に対して並列に接続されている。また、電源電池とストロボ回路及びビデオライト回路の間には、切換スイッチと、電源スイッチとが設けられている。切換スイッチは、電源電池を、ストロボ回路またはビデオライト回路に選択的に接続する。電源スイッチは、電話挿入部内に突出していて、電話挿入部に挿入したカメラ付き携帯電話機に押圧されたときに、切換スイッチにより接続しているストロボ回路、またはビデオライト回路をオンさせる。
【００２１】
ストロボ装置をカメラ付き携帯電話機に取り付ける取付手段は、電話挿入部、クリップ部材、バネを備えている。電話挿入部には、カメラ付き携帯電話機の上端が挿入される。クリップ部材は、電話挿入部内に一端が挿脱されるように揺動自在とされている。バネは、クリップ部材の一端が電話挿入部内に挿入される方向に向けてクリップ部材を付勢している。クリップ部材は、電話挿入部の内壁面とでカメラ付き携帯電話を挟み込む。
【発明の効果】
【００２２】
本発明の工事用カメラシステムは、工事写真に工事用小黒板の画像を写し込むことができるので、従来の工事用小黒板を使用する際に生じていた問題を解決することができる。また、カメラ付き携帯電話機により工事写真を撮影する際に、ストロボ装置を発光させることができるので、暗い工事現場でも鮮明に撮影することができる。
【００２３】
ストロボ制御アプリケーションは、カメラのレリーズから、レリーズタイムラグに応じた遅延時間が経過した後に、赤外線送信部から赤外光を照射させるので、最適なタイミングでストロボ装置を発光させることができる。
【００２４】
サーバは、カメラ付き携帯電話機の機種を特定し、その機種のレリーズタイムラグに応じた遅延時間が設定されているストロボ制御アプリケーションをダウンロードさせるので、最適なタイミングでストロボ装置を発光させることができる。
【００２５】
黒板アプリケーションは、カメラ付き携帯電話機から文字を入力することができるので、黒板の記載内容が手書きのように判読不能になることがない。また、黒板アプリケーションに連動してカメラやストロボ制御アプリケーションを起動させることができるので、ユーザの操作が容易になる。電子小黒板画像をスルー画像に重ね合わせて撮影することができるので、電子小黒板画像が最適な位置にくるように撮影することができる。
【００２６】
工事用小黒板のテンプレートは、複数種類が用意されているので、撮影現場、用途などに合せて最適なテンプレートを使用することができる。カメラ付き携帯電話機から撮影日時や、撮影位置の座標等を取得してテンプレートに自動入力することができるので、ユーザによる操作を少なくすることができる。
【００２７】
電子小黒板画像は、サイズ、回転位置、配置位置等を設定することができるので、見やすい工事写真を作成することができる。
【００２８】
ストロボ装置に、サーバの通信アドレスを表す２次元コードを設けたので、カメラ付き携帯電話からサーバに簡単に接続することができる。
【００２９】
本発明のストロボ装置は、充電コネクタを充電端子に接続するだけで、カメラ付き携帯電話機のバッテリをバッテリ充電回路により充電することができるので、ＡＣ電源がない工事現場でも工事写真の撮影を継続することができる。
【００３０】
ストロボ機能とビデオライト機能は、ストロボ装置にカメラ付き携帯電話機を挿入したときに自動的に起動するので、操作が簡単である。また、ストロボ装置からカメラ付き携帯電話機を抜き取ったときに、自動的に電源がオフするので、電池を無駄に消耗することもない。さらに、ストロボ機能とビデオライト機能の切り換えは、切換スイッチの操作で簡単に行うことができる。充電機能、ビデオライト機能を備えたストロボ装置としては、回路構成がシンプルであり、コストパフォーマンスに優れている。
【００３１】
ストロボ装置に、カメラ付き携帯電話機を挟み込むクリップ部材を設けたので、ストロボ装置をしっかりとカメラ付き携帯電話機に固定することができる。
【発明を実施するための最良の形態】
【００３２】
図１に示すように、本発明の工事用カメラシステム２は、カメラ付き携帯電話機３、ストロボ装置４、ＷＥＢサーバ５を備えている。カメラ付き携帯電話機３は、携帯電話会社の基地局６を介してインターネット７に接続し、ＷＥＢサーバ５から、本発明を構成する黒板アプリケーション８と、ストロボ制御アプリケーション９とをダウンロードする。図２及び図３に示すように、ストロボ装置４は、底面に設けられた電話挿入部１０にカメラ付き携帯電話機３が挿入されることにより、カメラ付き携帯電話機３の上部に着脱自在に取り付けられている。ストロボ装置４は、カメラ付き携帯電話機３で工事現場を撮影する際に、ストロボ制御アプリケーション９に制御されたカメラ付き携帯電話機３によって、ストロボ発光部１１が発光される。
【００３３】
図２に示すように、カメラ付き携帯電話機３は、上筐体１２と下筐体１３とを備えている。上筐体１２及び下筐体１３は、両者を接続するヒンジ部１４によって、図示された面が内側になるように折り畳むことができる。上筐体１２の内側の面には、液晶ディスプレイからなる表示部１５が設けられている。表示部１５には、電話番号や住所録等の通話に関する画面の他、メール、インターネット等に関する画面、内蔵したデジタルカメラで撮影する際に出力されるスルー画、撮影済み画像等が表示される。
【００３４】
下筐体１３の内側の面には、複数の操作ボタンを有する操作部１８が設けられている。操作部１８は、ダイヤルボタン１９、機能ボタン２０、カーソルボタン２１等を備えている。ダイヤルボタン１９は、電話番号、文字等の入力に用いられる。機能ボタン２０は、通話、メール、インターネット、撮影等の各種機能に用いられる。カーソルボタン２１は、各種機能でのメニュー選択等に用いられる。カーソルボタン２１の中央には、撮影時にレリーズボタンとして使用される決定ボタン２２が設けられている。
【００３５】
上筐体１２の上面には、赤外線を送受信してデータ通信を行う赤外線送信部２４及び赤外線受信部２５が設けられている。また、下筐体１３の側面には、充電端子２６が設けられている。充電端子２６には、下筐体１３内に内蔵されているバッテリを充電する際に、充電器の充電コネクタが接続される。
【００３６】
図３に示すように、上筐体１２の外面の中央下部には、撮影窓２９が設けられている。撮影窓２９の奥には、撮影レンズ、オートフォーカス（ＡＦ）機構、ＣＭＯＳ等の撮像素子が組み込まれている。
【００３７】
図４に示すように、カメラ付き携帯電話機３は、制御部３２、ＲＴＣ３３、通信部３４、カメラ部３５、メモリカード３６、表示制御部３７、赤外線通信部３８、ＧＰＳ部３９、電源回路４０、バッテリ４１、ＥＥＰＲＯＭ４２等を備えている。
【００３８】
制御部３２は、ＣＰＵと、制御プログラムを記憶したＲＯＭと、制御データ等が記憶されるＲＡＭとを備えたマイクロコンピュータであり、カメラ付き携帯電話機３の全体を制御する。リアルタイムクロック（ＲＴＣ）３３は、現在時刻を計る回路であり、年、月、日、時、分、秒のデータを制御部３２に提供している。通信部３４は、基地局６と無線通信を行う。
【００３９】
カメラ部３５は、上述した撮影レンズ、ＡＦ機構、撮像素子等とともに、撮像素子を駆動するドライバ、画像処理回路等を備えており、撮影後に撮像データを生成する。メモリカード３６は、下筐体１３に設けられたカードスロット（図示せず）に挿入されており、カメラ部３５が生成した撮像データを記憶する。表示制御部３７は、制御部３２に制御され、通話画面、メール画面、インターネット画面、カメラ部３５から出力されたスルー画、撮影済みの画像等を表示部１５に表示させる。
【００４０】
赤外線通信部３８は、制御部３２から入力されたデータに基づいて、赤外線送信部２４に赤外線を照射させる。また、赤外線通信部３８は、赤外線受信部２５が赤外線を受光して出力した受光信号から受信したデータを復元する。ＧＰＳ部３９は、複数のＧＰＳ衛星からＧＰＳデータを受信し、受信したＧＰＳデータに基づいて現在位置の座標を算出する。電源回路４０は、バッテリ４１から各部に電気を供給する。上述した充電端子２６は、バッテリ４１に接続されている。ＥＥＰＲＯＭ４２は、電源が供給されていない状態でも記憶内容を保持することができる不揮発性メモリであり、カメラ部３５で生成された撮像データや、ダウンロードしたアプリケーション等を記憶する。
【００４１】
ＷＥＢサーバ５は、パーソナルコンピュータであり、インストールされているサーバプログラムによって、通信部４３、認証部４４、記憶部４５、転送部４６を備えている。通信部４３は、インターネット７及び基地局６を介してカメラ付き携帯電話機３と通信を行う。認証部４４は、通信を行っているカメラ付き携帯電話機３から、各携帯電話機に特有な固体識別番号を読み出し、黒板アプリケーション８及びストロボ制御アプリケーション９の使用契約を結んでいるカメラ付き携帯電話機３であるか否かを認証する。
【００４２】
記憶部４５は、黒板アプリケーション８と、ストロボ制御アプリケーション９とを記憶している。なお、図５では、ストロボ制御アプリケーション９を１種類しか記載していないが、実際には、カメラ付き携帯電話機３の機種に合せた複数種類のストロボ制御アプリケーション９が、記憶部４５に記憶されている。
【００４３】
転送部４６は、認証部４４が認証した固体識別番号からカメラ付き携帯電話機３の機種を特定する。そして、転送部４６は、特定した機種に適合したストロボ制御アプリケーション９を記憶部４５から選択し、このストロボ制御アプリケーション９と黒板アプリケーション８とを、通信部４３を介してカメラ付き携帯電話機３にダウンロードさせる。
【００４４】
ＷＥＢサーバ５からダウンロードした黒板アプリケーション８及びストロボ制御アプリケーション９は、カメラ付き携帯電話機３のＥＥＰＲＯＭ４２に記憶される。黒板アプリケーション８は、カメラ付き携帯電話機３のアプリケーション起動メニューから呼び出されて起動する。ストロボ制御アプリケーション９は、動作中の黒板アプリケーション８に呼び出されて起動する。
【００４５】
黒板アプリケーション８及びストロボ制御アプリケーション９を使用する場合には、例えば、カメラ付き携帯電話機３によりＷＥＢサーバ５に接続して使用契約が結ばれる。使用契約は、例えば、所定の時間、日数、月、年等の期限を決めて契約してもよいし、解約がなされるまで契約状態を維持してもよい。期限を決めて契約を行う場合には、所定の期限が到来したときに黒板アプリケーション８が起動できなくなるようにプログラミングを行えばよい。また、解約がなされるまで契約状態を維持する場合には、黒板アプリケーション８に、定期的にＷＥＢサーバ５に自動接続して契約状態を確認する機能を設ければよい。
【００４６】
図５は、カメラ付き携帯電話機３において、黒板アプリケーション８及びストロボ制御アプリケーション９が起動させたときに実現される機能を表した機能ブロック図である。黒板アプリケーション８は、工事用小黒板のテンプレート４９、テンプレート選択部５０、文字入力部５１、黒板画像生成部５２、連係制御部５３、黒板設定部５４、自動入力部５５、工事写真作成部５６として、制御部３２を機能させる。
【００４７】
テンプレート４９は、従来、工事写真を撮影する際に使用されていた工事用小黒板を、デジタル画像にしたものである。図６（Ａ）に示すように、テンプレート４９の１例である横長テンプレート５９は、横長形状の外枠内に、「工事名」、「工種」、「実測寸法」、「状況説明」、「立会い者」、「年月日」、「請負者」等の項目欄５９ａと、各項目の記入欄５９ｂとが設けられている。
【００４８】
テンプレート４９は、複数種類が用意されており、黒板アプリケーション８とともにカメラ付き携帯電話機３にダウンロードされる。図７の表６２に示すように、テンプレート４９は、例えば図６（Ａ）に示す横長形状をした横長テンプレート５９の他、図６（Ｂ）に示す縦長形状をした縦長テンプレート６３にグループ分けされている。また、テンプレート４９の各グループは、黒色をした「黒地タイプ黒板」、地が半透明な「半透明タイプ黒板」、地が透明な「透明タイプ黒板」等をそれぞれ備えている。「半透明タイプ黒板」、「透明タイプ黒板」のテンプレートを使用すれば、工事写真において、黒板の背後の画像も見えるようにすることができる。
【００４９】
テンプレート選択部５０は、カーソルボタン２１と決定ボタン２２とを用いて、上述した複数種類のテンプレート４９の中から、工事写真に使用するテンプレート４９を選択させる。文字入力部５１は、選択されたテンプレート４９の各記入欄に、ダイヤルボタン１９を用いて文字を入力させる。黒板設定部５４は、黒板画像生成部５２で生成される電子小黒板黒画像のサイズ、回転位置、配置位置を設定する。自動入力部５５は、ＧＰＳ部３９から位置座標と現在時刻とを取得して、テンプレート４９に自動的に入力する。黒板画像生成部５２は、選択されたテンプレート４９と、入力された文字とを合成し、かつ黒板設定部５４で設定された内容に基づいて、各記入欄に文字が記載された工事用小黒板のデジタル画像である電子小黒板画像を生成する。
【００５０】
連係制御部５３は、電子小黒板画像の生成後に、カメラ部３５とストロボ制御アプリケーション９とを起動させる。表示制御部３７は、黒板アプリケーション８の黒板表示制御手段としても機能し、表示部１５に、黒板アプリケーション８の各種操作画面を表示させる。また、表示制御部３７は、カメラ部３５から出力された画像が表示部１５に連続的に表示されているスルー画表示中に、電子小黒板黒画像を重ね合わせて表示させる。工事写真作成部５６は、カメラ部３５で撮影された画像と、電子小黒板画像とを合成して、工事写真の画像データを作成し、メモリカード３６に記憶させる。
【００５１】
ストロボ制御アプリケーション９は、制御部３２を、計時部６６及びシンクロ制御部６７として機能させる。計時部６６は、カメラ部３５で撮影を行う際に、レリーズボタンである決定ボタン２２が押されてから、カメラ部で露出が開始されるまでのレリーズタイムラグに応じた遅延時間を計測する。シンクロ制御部６７は、遅延時間の経過後に、ストロボ装置４を発光させるシンクロ信号である赤外光を赤外線送信部２４から照射させる。
【００５２】
図８に示すように、カメラ付き携帯電話機３は、撮影時にレリーズボタンである決定ボタン２２が押されてから、カメラ部３５のＡＦ機構が作動し、時間Ｔ１を要するピント合せが行われる。ピント合せ後、撮影レンズを停止させるため、必要な時間Ｔ２の経過を待って撮像素子による露出時間Ｔ３が開始され、その後に画像データがメモリカード３６に書き込まれる。時間Ｔ１、Ｔ２が、レリーズから露出開始までのレリーズタイムラグＴ４であり、カメラ付き携帯電話機３の機種によって異なるものの、およそ２００〜３００ｍｓ程度である。
【００５３】
上述したカメラ付き携帯電話機３において、決定ボタン２２の操作に同期して赤外線送信部２４から赤外光を照射させると、撮像素子が露出を開始する前にストロボ装置４のストロボ発光部１１が発光してしまう。そこで、本発明のストロボ制御アプリケーション９は、カメラ付き携帯電話機３のレリーズタイムラグＴ４を遅延時間Ｔ５として設定し、この遅延時間Ｔ５の経過後に赤外線送信部２４から赤外光を照射させている。
【００５４】
これにより、撮像素子により露出が行われている間にストロボ発光部１１を発光させることができる。また、遅延時間Ｔ５は、カメラ付き携帯電話機３の機種に応じて変えているので、適切なタイミングでストロボ装置４を発光させることができる。なお、露出時間Ｔ３は、機種により異なるものの５００ｍｓ程度であり、赤外光の照射時間Ｔ６は５０ｍｓ程度と露出時間Ｔ３よりも十分に短いため、赤外光の照射タイミングが多少遅れても問題はない。
【００５５】
図９に示すように、ストロボ装置４の外観を構成する筐体６８は、縦長の略直方体をしている。ストロボ装置４の前面には、ストロボ発光部１１、ビデオライト部７１、切換スイッチ７２が設けられている。ストロボ発光部１１は、カメラ等のストロボ装置と同様のものであり、周知の放電管、反射傘、拡散板等を備えていて、前方に向けて閃光を発する。ビデオライト部７１は、３個の白色ＬＥＤ７１ａからなり、カメラ付き携帯電話機３で動画撮影を行う際に点灯し、前方に向けて白色光を照射する。
【００５６】
切換スイッチ７２は、ストロボ発光部１１とビデオライト部７１とのいずれか一方を動作させるように切り換える。切換スイッチ７２の操作摘みが上方のストロボ位置にあるときに、ストロボ発光部１１が発光し、操作摘みが下方のライト位置にあるときには、ビデオライト部７１が点灯する。
【００５７】
ストロボ装置４の側面には、上下方向でスライド自在な電池蓋７５が設けられている。ストロボ装置４の断面図である図１０に示すように、電池蓋７５を下方にスライドさせると、単３サイズの乾電池７６を幅方向に沿って挿入する電池室７７が開放される。
【００５８】
ストロボ装置４の前面下部には、カメラ付き携帯電話機３のバッテリ４１の充電に用いられる充電コネクタ８０が設けられている。充電コネクタ８０は、前後方向で揺動自在となるように筐体６８に支持されたコネクタ本体８０ａと、コネクタ本体８０ａの先端に組み込まれたプラグ８０ｂを備えている。プラグ８０ｂは、カメラ付き携帯電話機３の充電端子２６に挿入され、バッテリ４１と電気的に接続する。
【００５９】
図１１に示すように、ストロボ装置４の背面上部には、ストロボ充電の状態を知らせるリーディ窓８３が設けられている。図１０に示すように、リーディ窓８３の奥には、内蔵しているストロボ回路のストロボ充電が完了したときに点灯するストロボ充電確認用ＬＥＤ８４が組み込まれている。
【００６０】
ストロボ装置４の底面には、平均的なサイズのカメラ付き携帯電話機３の上筐体１２よりも広い幅寸法及び厚み寸法を有する長方形の開口を備えた電話挿入部１０が設けられている。電話挿入部１０は、筐体６８の高さ方向に沿って所定の深さを有している。ストロボ装置４は、電話挿入部１０内に上筐体１２を挿入することにより、カメラ付き携帯電話機３に取り付けられる。
【００６１】
ストロボ装置４の背面には、電話挿入部１０に連なる切欠８７が形成されている。切欠８７は、幅広部８７ａと、幅広部８７ａの上部に配された幅狭部８７ｂとを有している。幅広部８７ａは、平均的なサイズのカメラ付き携帯電話機３の表示部１５よりも広い幅寸法を有している。
【００６２】
切欠８７内には、電話挿入部１０の厚み方向の寸法を調整するクリップ板９０が組み込まれている。クリップ板９０は、切欠８７と略相似形状をしているが、電話挿入部１０に挿入されたカメラ付き携帯電話機３の表示部１５を隠さないように、筐体６８の底面まで達しない長さとなっている。
【００６３】
クリップ板９０の内面には、一対の軸受け部９０ａが設けられている。筐体６８内には、一対の軸支部６６ａにより幅方向に沿って支持された回転軸９３が組み込まれている。クリップ板９０は、回転軸９３が軸受け部９０ａに挿通されることにより、切欠８７内で揺動自在となっている。回転軸９３の略中央には、クリップ板９０の下端部を電話挿入部１０内に進入させる方向に付勢するバネ９４が組み込まれている。
【００６４】
図２及び図３に示すように、ストロボ装置４は、前面側がカメラ付き携帯電話機３の外側を向くように、電話挿入部１０に上筐体１２が挿入される。上筐体１２を電話挿入部１０に挿入するときに、切欠８７の幅狭部８７ｂ内にあるクリップ板９０の押圧部９０ｂが押圧される。これにより、クリップ板９０がバネ９４の付勢に抗して回動し、クリップ板９０の下端が電話挿入部１０から出るので、上筐体１２が挿入しやすくなる。押圧部９０ｂの押圧を解除すると、バネ９４の付勢によりクリップ板９０が回動し、クリップ板９０の下端部が上筐体１２に当接する。上筐体１２は、クリップ板９０と電話挿入部１０の内壁面とに挟み込まれる。これにより、幅寸法及び厚み寸法の異なるカメラ付き携帯電話機３に、ストロボ装置４をしっかりと固定することができる。
【００６５】
図１１に示すように、電話挿入部１０の内面には、電源スイッチ９７の検出子９７ａが突出している。電源スイッチ９７は、電話挿入部１０に挿入されたカメラ付き携帯電話機３の上筐体１２により検出子９７ａが押されたときに、ストロボ装置４の電源をオンさせる。また、上筐体１２が電話挿入部１０から抜き取られると、検出子９７ａがバネによってオフ位置に復帰するので、ストロボ装置４の電源が自動的にオフする。
【００６６】
ストロボ装置４の背面には、ＷＥＢサーバ５の通信アドレスであるＵＲＬを表すＱＲコード９８が設けられている。ＱＲコードからＷＥＢサイトのＵＲＬを取得する機能を備えたカメラ付き携帯電話機３を使用してＱＲコード９８を撮影すれば、簡単にＷＥＢサーバ５に接続することができる。
【００６７】
図９に示すように、ストロボ装置４の筐体６８は、前面側の前ケース１００と、この前ケース８１の背面側に取り付けられる後ケース１０１から構成されている。図１２は、ストロボ装置４から前ケース１００を取り外した後の、後ケース１０１内の状態を示している。後ケース１０１内には、上述した乾電池７６、充電コネクタ８０等の他、プリント基板１０２、隔壁部材１０３等が組み込まれている。
【００６８】
プリント基板１０２の前面には、上述したストロボ発光部１１、ビデオライト部７１、切換スイッチ７２等の他、電池接片１０６ａ，１０６ｂが取り付けられている。電池接片１０６ａは、電池室７７内に挿入されて乾電池７６のマイナス極に当接する。電池接片１０６ｂは、後ケース１０１の側面に形成されたスリットを通して、電池蓋７５の内面に取り付けられた金属接片７５ａに当接する。金属接片７５ａは、電池蓋７５が閉じられたときに、乾電池７６のプラス極に当接する。
【００６９】
プリント基板１０２の背面には、上述したストロボ充電確認用ＬＥＤ８４、電源スイッチ９７等の他、ストロボ用のメインコンデンサ１０９、赤外線受光素子１１０等が取り付けられている。赤外線受光素子１１０は、カメラ付き携帯電話機３の赤外線送信部２４から照射された赤外線を受光する。赤外線受光素子１１０の受光部は、隔壁部材１０３に対面している。
【００７０】
プリント基板１０２と充電コネクタ８０のプラグ８０ｂとは、コード１１３により電気的に接続されている。コード１１３は、プリント基板１０２とプラグ８０ｂとの距離よりも長いので、充電コネクタ８０の回動に支障はない。なお、図１１及び図１４のプリント基板１０２は、図面の煩雑化を避けるため、主要な部品以外の図示を省略している。
【００７１】
隔壁部材１０３は、後ケース１０１内を仕切って電話挿入部１０を形成する略箱状の部材である。隔壁部材１０３には、前ケース１００との間で、コネクタ本体８０ａの両側面に設けられた円柱部８０ｃを挟み込んで回動自在に支持する軸受け片１１６が形成されている。また、隔壁部材１０３は、透明なプラスチックで形成することにより、ライトガイドとしての機能を有している。カメラ付き携帯電話機３の赤外線送信部２４から照射された赤外光は、隔壁部材１０３にガイドされて赤外線受光素子１１０に入射される。これにより、赤外線送信部の位置が機種によって異なっていても、赤外線受光素子１１０に入射させることができる。
【００７２】
図５に示すように、プリント基板１０２には、ストロボ回路１１９、ビデオライト回路１２０、バッテリ充電回路１２１が形成されており、各回路は、乾電池７６に対して並列に接続されている。ストロボ回路１１９及びビデオライト回路１２０は、切換スイッチ７２及び電源スイッチ９７を介して乾電池７６に接続されている。そのため、切換スイッチ７２がストロボ位置にある状態で電源スイッチ９７がオンすると、ストロボ回路１１９が作動し、切換スイッチ７２がライト位置にある状態で電源スイッチ９７がオンすると、ビデオライト回路１２０が作動する。
【００７３】
ストロボ回路１１９は、電源スイッチ９７がオンしたときにストロボ充電を開始し、ストロボ充電が完了したときに、ストロボ充電確認用ＬＥＤ８４を点灯させ、ユーザにその旨を知らせる。また、ストロボ回路１１９は、赤外線受光素子１１０がカメラ付き携帯電話機３から照射された赤外光を受光したときに、それに同期してストロボ発光部１１を発光させる。
【００７４】
バッテリ充電回路１２１は、切換スイッチ７２及び電源スイッチ９７を介さずに、乾電池７６に接続されている。近年、内蔵した電池によって携帯電話機のバッテリを充電する電池式充電器が各種販売されえいるが、バッテリ充電回路１２１は、この電池式充電器に用いられているものと同様の充電回路である。バッテリ充電回路１２１は、充電コネクタ８０が充電端子２６に接続されたときに、バッテリ４１を充電する。
【００７５】
次に、図１３のフローチャートを参照しながら、上記実施形態の作用について説明する。なお、以下では、カメラ付き携帯電話機３が予め、ＷＥＢサーバ５と、黒板アプリケーション８及びストロボ制御アプリケーション９の使用契約を結んでいるものとして説明する。よって、カメラ付き携帯電話機３とＷＥＢサーバ５との契約については、説明を省略する。
【００７６】
図２及び図３に示すカメラ付き携帯電話機３のカメラ部３５により、ストロボ装置４のＱＲコード９８を撮影する（Ｓ１）。カメラ付き携帯電話機３は、ＱＲコード９８を内蔵デコーダでデコードしてＷＥＢサーバ５のＵＲＬを割り出し、図４に示す通信部３４により、基地局６、インターネット７を介してＷＥＢサーバ５に接続する（Ｓ２）。
【００７７】
ストロボ装置４は、電話挿入部１０に上筐体１２が挿入され、カメラ付き携帯電話機３に取り付けられる。図５及び図１０に示すように、上筐体１２に検出子９７ａが押されて電源スイッチ９７がオンする。切換スイッチ７２がストロボ位置にあるときにストロボ回路１１４が通電され、ストロボ充電が開始される。ストロボ充電の完了後、ストロボ充電確認用ＬＥＤ８４が点灯する。
【００７８】
ＷＥＢサーバ５は、通信部４３によりカメラ付き携帯電話機３と通信を開始する。認証部４４は、通信部４３を介して、カメラ付き携帯電話機３から個体識別番号読み出し、使用契約を結んでいるカメラ付き携帯電話機３であるか否かを認証する（Ｓ３）。
【００７９】
転送部４６は、認証部４４が認証した固体識別番号からカメラ付き携帯電話機３の機種を特定する（Ｓ４）。そして、機種に適合したストロボ制御アプリケーション９を記憶部４５から選択し、黒板アプリケーション８とともにカメラ付き携帯電話機３にダウンロードさせる（Ｓ５）。
【００８０】
カメラ付き携帯電話機３にダウンロードされた黒板アプリケーション８及びストロボ制御アプリケーション９は、制御部３２のＥＥＯＲＯＭ４２に記憶される。ユーザは、カメラ付き携帯電話機３のアプリケーション起動メニューから黒板アプリケーション８を呼び出して起動させる（Ｓ６）。図５に示すように、黒板アプリケーション８が起動すると、制御部３２は、テンプレート４９、テンプレート選択部５０、文字入力部５１、黒板画像生成部５２、連係制御部５３、黒板設定部５４、自動入力部５５、工事写真作成部５６として動作する。
【００８１】
黒板アプリケーション８では、最初にテンプレートの選択が行われる（Ｓ７）。黒板表示制御手段としても機能する表示制御部３７は、黒板アプリケーション８の起動画面の終了後、図１４に示すように、表示部１５にテンプレート選択画面１２５を表示させる。テンプレート選択画面１２５には、横長及び縦長の各テンプレート４９の名称が記載された複数のテンプレートボタン１２６が表示されている。テンプレート選択部５０は、カーソルボタン２１と決定ボタン２２とを用いて、テンプレートボタン１２６を選択することができるように制御する。
【００８２】
表示部１５の下方には、次の操作に移行する際に操作される「次へ」ボタン１２７と、黒板アプリケーション８を終了する終了ボタン１２８が表示されている。終了ボタン１２８は、黒板アプリケーション８が起動している間は同じ位置に表示されるので、いつでも黒板アプリケーション８を終了することができる。
【００８３】
テンプレートボタン１２６の選択後、テンプレート選択画面１２５の下方に表示されている「次へ」ボタン１２７が操作されると、テンプレートへの文字入力が開始される（Ｓ８）。表示制御部３７は、図１５に示すように、表示部１５に黒板データ入力画面１３０を表示する。黒板データ入力画面１３０には、テンプレート選択画面１２５で選択されたテンプレート、例えば、黒地タイプ黒板の横長テンプレート５９が表示される。また、その下方には、「次へ」ボタン１２７ととともに、前の操作に戻る際に選択される「戻る」ボタン１３１が表示される。
【００８４】
文字入力部５１は、カーソルボタン２１と決定ボタン２２とでテンプレート５９中の各記入欄５９ｂを選択できるように制御する。また、文字入力部５１は、記入欄５９ｂが選択されたときに、ダイヤルボタン１９で記入欄５９ｂに文字を入力できるように制御する。
【００８５】
自動入力部５５は、テンプレート５９への文字入力中に、ＧＰＳ部３９から位置情報を取得して、テンプレート５９の「ＧＰＳ位置情報」の記入欄に自動入力する。また、ＧＰＳ部３９から年月日及び時間を取得して自動入力してもよい。本実施形態では、位置情報の自動入力を必ず行うようにしているが、実施、不実施を選択できるようにしてもよい。
【００８６】
黒板データ入力画面１３０で「戻る」ボタン１３１が操作されると、表示部１５には、図１４のテンプレート選択画面１２５が再び表示され、テンプレート４９の再選択ができるようになる。なお、黒板データ入力画面１３０で入力された文字は、制御部３２のＲＡＭに記憶しておき、新たに選択されたテンプレートに自動的に入力することが好ましい。
【００８７】
黒板データ入力画面１３０で「次へ」ボタン１２７が操作されると、黒板画像生成部５２で生成される電子小黒板画像の設定を行う、黒板設定が開始される（Ｓ９）。図１６に示すように、表示制御部３７は、表示部１５に黒板設定画面１３４を表示する。黒板設定画面１３４には、サイズ指定ボタン１３５、回転指定ボタン１３６、配置指定ボタン１３７が表示されている。これらのボタン１３５〜１３７は、操作部１８のカーソルボタン２１及び決定ボタン２２により選択される。
【００８８】
サイズ指定ボタン１３５は、電子小黒板画像を撮影画像の３０％程度のサイズに縮小する「大」ボタン１３５ａと、２５％程度に縮小する「中」ボタン１３５ｂと、２０％程度に縮小する「小」ボタン１３５ｃとを備えている。電子小黒板画像のサイズを任意に選択できるので、見やすい工事写真を撮影することができる。
【００８９】
回転指定ボタン１３６は、電子小黒板画像を時計方向に回転させる「する」ボタン１３６ａと、電子小黒板画像を回転させない「しない」ボタン１３６ｂとを備えている。カメラ付き携帯電話機３は、表示部１５が縦長形状であるため、工事写真を撮影する際には、半時計方向に回転させて横向きにした状態で撮影することが多くなる。回転指定ボタン１３６により、電子小黒板画像を回転させることができるので、カメラ付き携帯電話機３を横向きにして撮影しても、電子小黒板画像の向きを合せることができる。
【００９０】
配置指定ボタン１３７は、電子小黒板画像が工事写真上で配置される位置を、左上、左下、右上、右下から選択させる「左上」ボタン１３７ａ、「左下」ボタン１３７ｂ、「右上」ボタン１７ｃ、右下ボタン１３７ｄを備えている。電子小黒板画像が配置される位置を指定できるので、見やすい工事写真を撮影することができる。
【００９１】
黒板設定画面１３４で「次へ」ボタン１２７が操作されると、黒板画像生成部５２が、テンプレート５９と入力された文字とを合成し、黒板設定部５４で設定された内容に基づいて電子小黒板画像を生成する（Ｓ１０）。生成された電子小黒板画像の画像データは、撮影日時等からなるファイル名が自動的に付されて、メモリカード３６に記憶される。この画像データは、任意に削除することができる。また、連係制御部５３は、カメラ部３５とストロボ制御アプリケーション９とを起動させる（Ｓ１１）。図１７に示すように、表示制御部３７は、表示部１５に撮影画面１４０を表示する。
【００９２】
撮影画面１４０には、カメラ部３５から連続的に出力されているスルー画１４１が表示されており、このスルー画１４１の上に重ね合わせるようにして、電子小黒板画像１４２が表示されている。また、撮影画面１４０には、「次へ」ボタン１２７と「戻る」ボタン１３１との間に、撮影を行うための撮影ボタン１４３が表示される。電子小黒板画像１４２は、黒板設定部５４において、例えば、大サイズ、回転実行、右下配置が選択された場合を表している。電子小黒板画像１４２のサイズ、回転位置、配置を変更したい場合は、「戻る」ボタン１３１を選択して、黒板設定画面１３４に戻ればよい。
【００９３】
図１８（Ａ）は、黒板設定部５４で、小サイズ、回転実行、左上配置が選択された場合を表している。同図（Ｂ）は、カメラ付き携帯電話機３を縦向きにして撮影を行う場合であり、縦長テンプレート６３に基づく電子小黒板画像１４５が、大サイズ、回転なし、左下配置の条件で、撮影画面１４０に表示されている。横長または縦長のテンプレートを使用しても、サイズ、回転位置、配置を指定できるので、見やすい工事写真を撮影することができる。
【００９４】
ユーザは、スルー画１４１を見ながら、カメラ付き携帯電話機３を動かして撮影する構図を調整し、構図決定後に決定ボタン２２を操作して撮影を行う（Ｓ１３）。
【００９５】
図５及び図６に示すように、カメラ部３５は、決定ボタン２２によるレリーズに応じて、ＡＦ機構を動作させ、レリーズタイムラグＴ４の経過後、撮像素子に露出を開始させる。また、計時部６６は、決定ボタン２２によるレリーズに応じて、遅延時間Ｔ５の計測を開始する。シンクロ制御部６７は、計時部６６が遅延時間Ｔ５の計測を終了したときに、赤外線送信部２４から赤外光を照射させる。
【００９６】
図１０に示すように、カメラ付き携帯電話機３の赤外線送信部２４から照射された赤外光は、ライトガイドとして機能する隔壁部材１０３にガイドされ、赤外線受光素子１１０の受光部に入射する。図５に示すストロボ回路１１４は、赤外線受光素子１１０が赤外光を受光したときに出力する検出信号に応じて、ストロボ発光部１１を発光させる。図６に示すように、ストロボ発光は、撮像素子の露出中に行われるので、暗い工事現場であっても適切な光量で撮影を行うことができる。
【００９７】
なお、カメラ付き携帯電話機３のバッテリ４１の消耗を防ぐため、撮影終了後にカメラ部３５の動作を停止させることが好ましい。また、決定ボタン２２の操作によって赤外線送信部２４から赤外光が照射されるのを防止するため、撮影終了後に、ストロボ制御アプリケーション９を終了させるのが好ましい。
【００９８】
工事現場の撮影完了後、撮影した画像を保存するか否かを選択する保存確認が行われる（Ｓ１４）。図１９に示すように、表示制御部３７は、保存確認画面１４７を表示部１５に表示する。この保存確認画面１４７には、撮影により生成され、かつ電子小黒板画像１４２が合成された撮影画像１４８と、その上に重ねられた確認メッセージ１４９とが表示される。
【００９９】
撮影画像１４８を保存する場合には、終了ボタン１２８の横に表示された保存ボタン１５０が操作される。撮影画像１４８の画像データは、メモリカード３６に記憶される。また、撮影画像１４８を保存しない場合には、保存ボタン１５０の横に表示されたキャンセルボタン１５１が操作される。この場合、撮影画像１４８が消去され、表示部１５には撮影画面１４０が再び表示される。
【０１００】
撮影画像１４８の保存後、テンプレート選択（Ｓ７）に戻り、表示部１５には、図１４に示すテンプレート選択画面１２５が再び表示される。これにより、次の撮影を続けて行うことができる。また、終了ボタン１２８が操作されたときには、黒板アプリケーション８が終了する。
【０１０１】
工事写真の撮影中に、カメラ付き携帯電話機３のバッテリ４１が消耗し、撮影を行えなくなることが考えられる。このようなときには、ストロボ装置４の充電コネクタ８０及びバッテリ充電回路１２１を用いてバッテリ４１を充電することができるので、ＡＣ電源のない工事現場であっても工事写真の撮影を継続することができる。また、ストロボ装置４は、乾電池７６を使用しているので、この電池が消耗しても容易に入手することができる
【０１０２】
撮影画像１４８の画像データは、メモリカード３６に記憶されているので、いつでも読み出して表示部１５に表示させることができる。また、赤外線通信部３８や、ＵＳＢ端子を使用して、あるいはメモリカード３６を直接プリンタにセットして画像データを印刷することができる。図２０に示すように、撮影画像１４８を印刷した工事写真１５３には、電子小黒板画像１４２が鮮明に写し込まれているので、容易に視認することができる。また、電子小黒板画像１４２には、カメラ付き携帯電話機３で入力した文字が記載されているので、手書きのように内容が判読不能になることもない。
【０１０３】
上記実施形態では、黒板アプリケーション８とストロボ制御アプリケーション９とを一緒にダウンロードさせているが、別々にダウンロードさせてもよい。また、ストロボ制御アプリケーション９のみをカメラ付き携帯電話機３でダウンロードできるようにし、ストロボ装置４を工事写真以外の撮影に利用できるようにしてもよい。
【０１０４】
テンプレート４９のタイプを２グループに分けた６種類としたが、項目欄、形状、サイズ、色、透明度等の組み合わせにより、様々なタイプを設けることができる。また、黒板アプリケーション８と一緒にテンプレート４９をダウンロードするようにしたが、選択されたテンプレート４９のみをダウンロードさせてもよい。これによれば、カメラ付き携帯電話機３のＥＥＰＲＯＭ４２の占有率を小さくすることができる。
【０１０５】
上記実施形態では、ＷＥＢサーバ５から黒板アプリケーション８及びストロボ制御アプリケーション９をカメラ付き携帯電話機３にダウンロードして使用しているが、ＷＥＢサーバ５のＷＥＢサイト上で黒板アプリケーション８及びストロボ制御アプリケーション９を利用できるようにしてもよい。
【図面の簡単な説明】
【０１０６】
【図１】本発明の工事用カメラシステムの構成を示す概略図である。
【図２】ストロボ装置が装着されたカメラ付き携帯電話機を前面側から見た斜視図である。
【図３】ストロボ装置が装着されたカメラ付き携帯電話機を背面側から見た斜視図である。
【図４】ストロボ装置の電気的構成を示すブロック図、及びＷＥＢサーバの機能ブロック図である。
【図５】カメラ付き携帯電話機の機能ブロック図、及びストロボ装置の電気的構成を示すブロック図である。
【図６】工事用小黒板のテンプレートの１例を示す説明図である。
【図７】テンプレートの種類を示す表である。
【図８】レリーズに応じて赤外線送信部から赤外光が照射されるタイミングを示すタイミングチャートである。
【図９】ストロボ装置を前面側から見た斜視図である。
【図１０】ストロボ装置の断面図である。
【図１１】ストロボ装置の背面図である。
【図１２】ストロボ装置の後ケース内を示す平面図である。
【図１３】工事写真の撮影手順を示すフローチャートである。
【図１４】黒板アプリケーションのテンプレート選択画面である。
【図１５】黒板アプリケーションの黒板データ入力画面である。
【図１６】黒板アプリケーションの黒板設定画面である。
【図１７】黒板アプリケーションの撮影画面である。
【図１８】黒板設定部により設定された電子小黒板画像の１例を示す説明図である。
【図１９】黒板アプリケーションの保存確認画面である。
【図２０】工事用カメラシステムにより作成された工事写真の１例である。
【符号の説明】
【０１０７】
２  工事用カメラシステム
３  カメラ付き携帯電話機
４  ストロボ装置
５  ＷＥＢサーバ
８  黒板アプリケーション
９  ストロボ制御アプリケーション
１０  電話挿入部
１１  ストロボ発光部
１５  表示部
２４  赤外線送信部
３５  カメラ部
３７  表示制御部
３９  ＧＰＳ部
４３  通信部
４４  認証部
４５  記憶部
４６  転送部
４９  テンプレート
５０  テンプレート選択部
５１  文字入力部
５２  黒板画像生成部
５３  連係制御部
５４  黒板設定部
５５  自動入力部
５６  工事写真作成部
６６  計時部
６７  シンクロ制御部
７１  ビデオライト部
７２  切換スイッチ
８０  充電コネクタ
９０  クリップ板
９８  ＱＲコード
１０３  隔壁部材
１１０  赤外線受光素子
１４２、１４５  電子小黒板画像
【図１】
2010117587.tif 000003
【図２】
2010117587.tif 000004
【図３】
2010117587.tif 000005
【図４】
2010117587.tif 000006
【図５】
2010117587.tif 000007
【図６】
2010117587.tif 000008
【図７】
2010117587.tif 000009
【図８】
2010117587.tif 000010
【図９】
2010117587.tif 000011
【図１０】
2010117587.tif 000012
【図１１】
2010117587.tif 000013
【図１２】
2010117587.tif 000014
【図１３】
2010117587.tif 000015
【図１４】
2010117587.tif 000016
【図１５】
2010117587.tif 000017
【図１６】
2010117587.tif 000018
【図１７】
2010117587.tif 000019
【図１８】
2010117587.tif 000020
【図１９】
2010117587.tif 000021
【図２０】
2010117587.tif 000022